(57)【要約】  【課題】複数の円環状の蛍光ランプ14を用いる天井埋込形照明器具11において、部品点数を削減し、最適な配光制御をする。  【解決手段】器具本体21を断面略逆Ｕ字形に形成し、器具本体21内の周辺域に複数の円環状の蛍光ランプ14を水平に配置するとともに器具本体21の周辺域内面に器具本体側反射面27を設ける。器具本体21の中央域の電気機器収容部34を覆うカバー38の蛍光ランプ14に対向する外面にカバー側反射面43を設ける。器具本体21およびカバー38を反射体と兼用し、部品点数を削減する。器具本体側反射面27とカバー側反射面43とにより蛍光ランプ14を覆う断面略逆Ｕ字形の反射面48を形成し、所望の光制御機能を得る。  【選択図】図１
2005063794.tif 000002
【特許請求の範囲】
【請求項１】
複数の環状のランプが水平に配置される周辺域内面に器具本体側反射面を有する断面略逆Ｕ字形に形成され、天井内に埋め込まれる器具本体と；
器具本体内の中央域に設けられる電気機器収容部と；
器具本体内に電気機器収容部を覆って設けられ、かつ、ランプに対向する外面であって、器具本体側反射面と対向するように設けられることにより環状のランプを覆う断面略逆Ｕ字形の反射面を形成するカバー側反射面を有するカバーと；
を具備していることを特徴とする天井埋込形照明器具。
【請求項２】
環状のランプは、円環状に形成されており、器具本体とカバーとの間にランプの光を制光するルーバ片を円環状に複数有する制光体が設けられ、この制光体のルーバ片は器具本体側反射面側の幅よりもカバー側反射面側の幅のほうが短く形成されていることを特徴とする請求項１記載の天井埋込形照明器具。
【請求項３】
天井板に埋め込み設置される器具本体の周辺部に、天井板に取り付ける取付手段を設けたことを特徴とする請求項１または２記載の天井埋込形照明器具。
【発明の詳細な説明】
【技術分野】
【０００１】
本発明は、複数の環状のランプを用いる天井埋込形照明器具に関する。
【背景技術】
【０００２】
従来、天井へ埋め込まれる天井埋込形照明器具は、天井内へ設置するための金属製である器具本体を備え、この器具本体の下面には複数の線状光源やこれらの光を制光して配光を制御する反射体などが取り付けられている（例えば、特許文献１参照）。
【０００３】
また、器具本体の中央部に点灯装置などの電気機器を配置する場合には、この電気機器を覆うカバーが取り付けられており、このカバーは反射板として機能しているものである。
【０００４】
このような天井埋込形照明器具は、下方への光が狭域で照射されるような略直下形の配光となるように配光制御が行われるものである。
【０００５】
また、複数の円環状のランプを用いる照明器具は、一般の住宅用として多く用いられており、天井面に直付設置する天井直付形照明器具などがある。
【０００６】
このような天井直付形照明器具では、天井面に設置する平板状の器具本体を備え、この器具本体の下面に主として点灯装置などの電気機器を覆う反射板、さらにこの反射板の下方ないし反射板の周囲に円環状のランプが取り付けられている（例えば、特許文献２参照）。
【特許文献１】特開２００２−３８８８２１４号公報（第４−５頁、図１）
【特許文献２】特開平１０−２４７５７１号公報（第２−３頁、図１）
【発明の開示】
【発明が解決しようとする課題】
【０００７】
上述のように、線状光源を用いる天井埋込形照明器具では、天井に施工するための器具本体、ランプの光を制光するための反射板、電気機器を覆うためのカバーなどをそれぞれ専用部品として用いており、部品点数が多く、複雑で重くなる問題がある。
【０００８】
また、上述の円環状のランプを用いる天井直付形照明器具の構成を単に天井埋込形照明器具へ用いようとしても、天井直付形照明器具のような適切な配光制御が行えるものではなかった。
【０００９】
本発明は、このような点に鑑みなされたもので、複数の環状のランプを用いる天井埋込形照明器具において、部品点数を削減し、簡素化および軽量化するとともに、最適な配光制御とすることを目的とする。
【課題を解決するための手段】
【００１０】
請求項１記載の天井埋込形照明器具は、複数の環状のランプが水平に配置される周辺域内面に器具本体側反射面を有する断面略逆Ｕ字形に形成され、天井内に埋め込まれる器具本体と；器具本体内の中央域に設けられる電気機器収容部と；器具本体内に電気機器収容部を覆って設けられ、かつ、ランプに対向する外面であって、器具本体側反射面と対向するように設けられることにより環状のランプを覆う断面略逆Ｕ字形の反射面を形成するカバー側反射面を有するカバーと；を具備しているものである。
【００１１】
そして、この構成では、器具本体を断面略逆Ｕ字形に形成し、器具本体内の周辺域に複数の環状のランプを水平に配置するとともに器具本体の周辺域内面に器具本体側反射面を設けることにより、器具本体を反射体と兼用し、さらに、器具本体の中央域の電気機器収容部を覆うカバーのランプに対向する外面にカバー側反射面を設けることにより、カバーを反射体と兼用し、そのため、器具本体およびカバーをそれぞれ反射体と兼用し、部品点数が削減され、簡素化および軽量化される。しかも、器具本体側反射面とカバー側反射面とにより環状のランプを覆う断面略逆Ｕ字形の反射面を形成するので、所望の光制御機能が容易に得られるとともに、電気機器収容部の中央スペースを広く取れる。
【００１２】
請求項２記載の天井埋込形照明器具は、請求項１記載の天井埋込形照明器具において、環状のランプは、円環状で形成されており、器具本体とカバーとの間にランプの光を制光するルーバ片を円環状に複数有する制光体が設けられ、この制光体のルーバ片は器具本体側反射面側の幅よりもカバー側反射面側の幅のほうが短く形成されているものである。
【００１３】
そして、この構成では、ランプが円環状であり、かつ、反射面がランプに沿うように周方向に形成されていることにより、器具本体側反射面のルーバ片の幅を幅広にすることで、天井埋込形照明器具に設けられた状態のランプを斜め方向の方向から見た場合のグレア防止が確実になる。
【００１４】
請求項３記載の天井埋込形照明器具は、請求項１または２記載の天井埋込形照明器具において、天井板に埋め込み設置される器具本体の周辺部に、天井板に取り付ける取付手段を設けたものである。
【００１５】
そして、この構成では、器具本体とカバーとの２部品構成によって軽量化を図れるために、器具本体の外周部に設けた取付手段によって天井板に取り付けることが可能となり、器具本体を吊下げ支持するための吊ボルトを天井構造物への設置が不要で、施工性が向上する。
【発明の効果】
【００１６】
請求項１記載の天井埋込形照明器具によれば、器具本体を断面略逆Ｕ字形に形成し、器具本体内の周辺域に複数の環状のランプを水平に配置するとともに器具本体の周辺域内面に器具本体側反射面を設けることにより、器具本体を反射体と兼用し、さらに、器具本体の中央域の電気機器収容部を覆うカバーのランプに対向する外面にカバー側反射面を設けることにより、カバーを反射体と兼用し、そのため、器具本体およびカバーをそれぞれ反射体と兼用し、部品点数を削減でき、簡素化および軽量化できる。しかも、器具本体側反射面とカバー側反射面とにより環状のランプを覆う断面略逆Ｕ字形の反射面を形成するので、所望の光制御機能を容易に得ることができるとともに、電気機器収容部の中央スペースを広く取ることができる。
【００１７】
請求項２記載の天井埋込形照明器具によれば、請求項１記載の天井埋込形照明器具の効果に加えて、ランプが円環状であり、かつ、反射面がランプに沿うように周方向に形成されていることにより、器具本体側反射面のルーバ片の幅を幅広にすることで、天井埋込形照明器具に設けられた状態のランプを斜め方向の方向から見た場合のグレア防止を確実にできる。
【００１８】
請求項３記載の天井埋込形照明器具によれば、請求項１または２記載の天井埋込形照明器具の効果に加えて、器具本体とカバーとの２部品構成によって軽量化を図れるために、器具本体の外周部に設けた取付手段によって天井板に取り付けることができ、器具本体を吊下げ支持するための吊ボルトを天井構造物への設置が不要で、施工性を向上できる。
【発明を実施するための最良の形態】
【００１９】
以下、本発明の一実施の形態を図面を参照して説明する。
【００２０】
図１ないし図４に第１の実施の形態を示し、図１は天井埋込形照明器具の断面図、図２は天井埋込形照明器具の斜視図、図３は天井埋込形照明器具の側面図、図４は天井埋込形照明器具の配光特性図である。
【００２１】
天井埋込形照明器具11は、天井板12に形成された円形の埋込孔13を通じて天井板12内に埋込み設置されるもので、複数の環状のランプとして、ランプ出力の大きさが異なる２本の円環状の蛍光ランプ14が用いられている。この蛍光ランプ14は、口金14a、この口金14aに両端が接続された円環状の発光管14bを有している。
【００２２】
天井埋込形照明器具11は、埋込孔13を通じて天井板12に埋め込み設置される円形の器具本体21を有し、この器具本体21内の周辺域に２本の蛍光ランプ14が水平に並んで配置されている。この器具本体21は、例えばアルミニウム製の板材から絞り加工によって下方へ向けて開口した断面略逆Ｕ字形に一体成形されており、上面部22を有し、この上面部22の周囲から下方へ向けて周面部（器具本体周面部）23が形成され、この周面部23の下端周縁から天井板12の下面に接合される縁部24が形成されている。この周面部23の下部側には、周面部23より外面側に突出して天井板12の埋込孔13内に配置される段部25が形成されている。
【００２３】
器具本体21の周面部23は下方へ向けて拡開する傾斜面状に形成され、上面部22と周面部23とは湾曲部26によって連続した面に形成されており、これら上面部22、湾曲部26および周面部23の蛍光ランプ14に対向する内面に、例えば白色塗装や鏡面仕上によって処理された器具本体側反射面27が形成されている。
【００２４】
器具本体21の上面部22には、各蛍光ランプ14の口金14aが接続されるランプソケット29がそれぞれ取り付けられているとともに、各蛍光ランプ14の口金14aと反対側の発光管14bの部分が着脱可能に保持するランプホルダ30がそれぞれ取り付けられている。ランプソケット29は蛍光ランプ14の口金14aを着脱可能に保持するホルダ機能も有している。そして、各ランプソケット29および各ランプホルダ30は、それぞれ周方向に位置をずらして配置され、各蛍光ランプ14の着脱操作を容易にしている。
【００２５】
また、器具本体21の中央域であって蛍光ランプ14の内側域には、電気機器33を収容可能とする空間である電気機器収容部34が形成されている。この電気機器収容部34に対応する上面部22の中央には電気機器33を突出状態に配置可能とする上面開口部35が形成されている。
【００２６】
器具本体21内の中央域であって蛍光ランプ14の内側域には、電気機器収容部34の周面および下面を覆うカバー38が着脱可能に配設されている。このカバー38は、例えばアルミニウム製の板材から絞り加工によって上方へ向けて開口した断面略Ｕ字形に一体成形されており、下面部39を有し、この下面部39の周囲から上方へ向けて周面部（カバー周面部）40が形成され、この周面部40の上端周縁から器具本体21の上面部22の内面に例えばねじ止めによって取り付けられる取付部41が形成されている。周面部40の下部外周には段部42が形成されている。
【００２７】
カバー38の周面部40は、上方へ向けて拡開し、上端側が器具本体21の周面部23および蛍光ランプ14に接近するように傾斜面状に形成されており、この周面部40の蛍光ランプ14に対向する外面に、例えば白色塗装や鏡面仕上によって処理されたカバー側反射面43が形成されている。カバー38の下面部39には電気機器33が取り付けられ、その下面部39には電気機器33が下方に臨むカバー開口部44が形成されている。
【００２８】
そして、器具本体21とカバー38との間には、２本の蛍光ランプ14が水平に配置される円環状のランプ収納部46が形成され、このランプ収納部46の下面に光を照射する円環状の照射開口47が形成されている。このランプ収納部46内に臨んで器具本体側反射面27およびカバー側反射面43が対向するように設けられ、円環状の蛍光ランプ14を覆うとともに下方へ向けて開口する断面略逆Ｕ字形の反射面48が構成されている。
【００２９】
器具本体21とカバー38との間の照射開口47には蛍光ランプ14の光を制光する制光体51が配設されている。この制光体51は、ルーバ体であり、器具本体21の段部25の内周に取り付けられる円環状の外側枠部52、カバー38の段部42の外周に取り付けられる円環状の内側枠部53、これら外側枠部52と内側枠部53との間に放射状に取り付けられるとともに円環状に複数のルーバ片54を備えている。ルーバ片54は、器具本体側反射面27側の上下方向の幅ａよりもカバー側反射面43側の上下方向の幅ｂの方が短い台形状に形成されている
また、カバー38に取り付けられる電気機器33は、例えば、図２に示すように、ダウンライトなどの照明装置57で、下面を開口する円筒状の装置本体58がカバー38の下面部39に取り付けられ、この装置本体58内にはこの装置本体58の頂部に配置される図示しないソケットに着脱可能に接続されてランプとしての電球形蛍光ランプ59が配置されている。なお、カバー38には、照明装置57を取り付ける取付部が設けられている。
【００３０】
また、器具本体21の上面の中心より外周側に寄った位置でランプソケット29の上部位置には、蛍光ランプ14を点灯させるインバータ点灯回路を有する点灯装置62が配設されている。これにより、ランプソケット29と点灯装置62との配線距離を短くでき、インバータ点灯回路で蛍光ランプ14を高周波点灯させる効率を向上できる。
【００３１】
また、器具本体21の周辺部には、天井板12にワンタッチ取り付けするワンタッチ取付手段としての取付手段65が設けられている。この取付手段65は、器具本体21の周辺部の複数箇所に取り付けられた複数の取付片66を有し、これら取付片66は、ばね性を有する例えば金属板製で、一端が器具本体21の周面部23の段部25に取り付けられ、他端が斜め上方に突出されている。取付片66には、器具本体21の周面部23の段部25に取り付けられる取付部67が形成され、この取付部67から段部25より外方であって天井板12の埋込孔13の内径寸法より外方に突出する係合部68が形成され、この係合部68の先端から段部25より内方であって器具本体21の中心側に向かうガイド部69が形成されている。
【００３２】
そして、器具本体21を天井板12に取り付けるには、器具本体21の上部側および各取付片66の先端側を天井板12の埋込孔13に挿入し、各取付片66が斜め上方に突出する周方向に対応した取付方向Ｆへ向けて器具本体21を回動させながら器具本体21を押し上げる。これにより、各取付片66のガイド部69が埋込孔13の内縁に当接して取付片66が器具本体21の内方へ弾性変形し、係合部68が天井板13の上方域まで挿入されれば取付片66が弾性によって器具本体21の外方へ突出するように開き、係合部68の下縁が天井板12の上面に係合し、その天井板12の上面との係合によって取付片66がさらに開く。器具本体21の縁部24が天井板12の下面に接合し、この縁部24と各取付片66との間で天井板12を挟持し、器具本体21の取り付けが完了する。
【００３３】
また、器具本体21を取り外す場合には、器具本体21を取付方向Ｆに対し反対方向に回動させることにより、取付時と反対の動作で器具本体21を取り外すことができる。
【００３４】
そして、複数の円環状の蛍光ランプ14を用いる天井埋込形照明器具11において、器具本体21を断面略逆Ｕ字形に形成し、器具本体21内の周辺域に複数の円環状の蛍光ランプ14を水平に配置するとともに器具本体21の周辺域内面に器具本体側反射面27を設けることにより、器具本体21を反射体と兼用し、さらに、器具本体21の中央域の電気機器収容部34を覆うカバー38の蛍光ランプ14に対向する外面にカバー側反射面43を設けることにより、カバー38を反射体と兼用し、そのため、器具本体21およびカバー38をそれぞれ反射体と兼用し、部品点数を削減でき、簡素化および軽量化できる。
【００３５】
しかも、器具本体側反射面27とカバー側反射面43とにより円環状の蛍光ランプ14を覆う断面略逆Ｕ字形の反射面48を形成するので、所望の光制御機能を容易に得ることができるとともに、電気機器収容部34の中央スペースの幅ｃを広く取ることができる。この中央スペースの幅ｃを広く取ることができる点に関しては、例えば、蛍光ランプ14の両側の反射面を平面状としてこれら両側の平面状反射面が下方へ向けて拡開傾斜するように構成した場合、器具本体21の中央側に位置する平面状反射面の下端位置が器具本体21の中央側に大きく近付いて位置するため、中央スペースの幅ｃが小さくなり、それに比べて、断面略逆Ｕ字形の反射面48に構成することにより、カバー側反射面43の下端位置が器具本体21の中央側へ近付く量が少なく、中央スペースの幅ｃを広く取ることができ、そのため、中央スペースの利用の自由度も大きくできる。
【００３６】
また、器具本体21とカバー38との２部品構成によって例えば３ｋｇ以下に軽量化を図れるために、器具本体21の外周部に設けた取付手段65によって天井板12に取り付けることができ、器具本体21を吊下げ支持するための吊ボルトを天井構造物への設置が不要で、施工性を向上できる。
【００３７】
また、器具本体21とカバー38との間に設けた制光体51によって、複数の蛍光ランプ14の光を制光し、配光を制御できる。
【００３８】
このとき、蛍光ランプ14が円環状であり、かつ、反射面48が蛍光ランプ14に沿うように周方向に形成されていることにより、器具本体側反射面27側のルーバ片54の幅ａを幅広にすることで、天井埋込形照明器具11に設けられた状態の蛍光ランプ14を斜め方向の方向から見た場合のグレア防止を確実にできる。
【００３９】
さらに、複数の蛍光ランプ14の水平配置、器具本体21の器具本体側反射面27、カバー38のカバー側反射面43、ルーバ片54を放射状に配置した制光体51などによって、図２に示す天井埋込形照明器具11の水平方向におけるＡ−Ａ方向の配光とこのＡ−Ａ方向に交差するＢ−Ｂ方向の配光とは、図４に示すように略同一となり、全方向に均一な配光特性が得られ、一般住宅用としても適する。
【００４０】
なお、電気機器33としては、照明装置57に限らず、例えば、非常灯、スピーカなどを適用することもできる。
【００４１】
また、図５に示すように、電気機器収容部34には点灯装置62を収容してもよく、器具本体21の上部の出っ張りを少なくし、天井埋込形照明器具11を薄形に構成できる。この場合、点灯装置62を隠蔽するためにカバー38の下面部39は閉塞する。
【００４２】
なお、環状のランプとしては、円環状の蛍光ランプ14に限らず、四角形状の蛍光ランプなど、閉じた形状のランプつまり環状のランプを用いることができる。そして、用いるランプの形状に対応して、器具本体21およびカバー38の形状を対応させる。
【００４３】
また、制光体51は、ルーバ体に限らず、透光性を有する例えば乳白色のセードを用いることもできる。
【図面の簡単な説明】
【００４４】
【図１】本発明の第１の実施の形態を示す天井埋込形照明器具の断面図である。
【図２】同上天井埋込形照明器具の斜視図である。
【図３】同上天井埋込形照明器具の側面図である。
【図４】同上天井埋込形照明器具の配光特性図である。
【図５】本発明の第２の実施の形態を示す天井埋込形照明器具の斜視図である。
【符号の説明】
【００４５】
11    天井埋込形照明器具
12    天井板
14    ランプとしての蛍光ランプ
21    器具本体
27    器具本体側反射面
34    電気機器収容部
38    カバー
43    カバー側反射面
48    反射面
51    制光体
54    ルーバ片
65    取付手段
【図１】
2005063794.tif 000003
【図２】
2005063794.tif 000004
【図３】
2005063794.tif 000005
【図４】
2005063794.tif 000006
【図５】
2005063794.tif 000007